(57)【特許請求の範囲】
【請求項１】
個人情報と、該個人情報に関連する管理情報の各種文字情報が秘密キーを用いて透かし情報として埋め込まれた原画像情報を端末から受信する手順と、
前記秘密キーを前記端末から受信する手順と、
受信した秘密キーを用いて、受信した原画像中から前記個人情報および前記管理情報を取得し、データベースに格納する手順と、
前記個人情報を個人情報に含まれるキーワードでのみ検索し、検索された個人情報の有無と、該当件数と、該当者の顔写真を利用者に回答する手順を有する、個人情報取得方法。
【請求項２】
前記利用者が個人情報を取得したい場合に、該利用者がパスワードを投入すると、個人情報を該利用者に提示するとともに、自己の個人情報が提示された個人に、該利用者に関する情報を通知する手順をさらに有する、請求項１に記載の個人情報取得方法。
【請求項３】
前記管理情報がアクセス回数と情報提示期間の制限条件を有し、前記制限条件が満たされない場合、前記データベースに格納されている個人情報へのアクセスを自動的に不可とする手順をさらに有する、請求項１または２に記載の個人情報取得方法。
【請求項４】
データベースと、
個人情報と、該個人情報に関連する管理情報の各種文字情報が秘密キーを用いて透かし情報として埋め込まれた原画像情報と、前記秘密キーを端末から受信する手段と、
受信した秘密キーを用いて、受信した原画像中から前記個人情報および前記管理情報を取得し、前記データベースに格納する手段と、
前記個人情報を、個人情報に含まれるキーワードでのみ検索し、検索された個人情報の有無と、該当件数と、該当者の顔写真を利用者に回答する手段を有する情報センタ。
【請求項５】
前記利用者が個人情報を取得したい場合に、該利用者がパスワードを投入すると、個人情報を該利用者に提示するとともに、自己の個人情報が提示された個人に、該利用者に関する情報を通知する手段をさらに有する、請求項４に記載の情報センタ。
【請求項６】
前記管理情報がアクセス回数と情報提示期間の制限条件を有し、前記制限条件が満たされない場合、前記データベースに格納されている個人情報へのアクセスを自動的に不可とする手段をさらに有する、請求項４または５に記載の情報センタ。
【発明の詳細な説明】
【０００１】
【発明の属する技術分野】
本発明は、第３者が個人の情報を簡単に知ることができない個人情報の作成方法および装置に関し、特に、原画像中に個人の情報を埋め込んで透かし画像情報を作成する方法および装置に関する。
【０００２】
【従来の技術】
従来、個人の重要な情報としては、履歴書がある。履歴書は、入学、就職、結婚、表彰等の場で使用され、個人の顔写真と、生年月目、住所の他、個人の過去の経歴、趣味等の重要な情報を含んでいる。このため、履歴書の提出、保管、移送時等に紛失、遺失した場合は、履歴書の本人は多大な被害を被る恐れがあること、また、これを管理する者の信用を失墜すること等双方に大きな負担となっている。
【０００３】
【発明が解決しようとする課題】
履歴書等の個人に重要な情報が記載された文書を提出、保管、移送する等の際、万一、紛失、遺失した場合でも、個人の重要な情報が第３者に容易に知られることがないようにする必要がある。
【０００７】
【課題を解決するための手順】
本発明の個人情報取得方法は、個人情報と、該個人情報に関連する管理情報の各種文字情報が秘密キーを用いて透かし情報として埋め込まれた原画像情報を端末から受信する手順と、前記秘密キーを前記端末から受信する手順と、受信した秘密キーを用いて、受信した原画像中から前記個人情報および前記管理情報を取得し、データベースに格納する手順と、前記個人情報を個人情報に含まれるキーワードでのみ検索し、検索された個人情報の有無と、該当件数と、該当者の顔写真を利用者に回答する手順を有する。
【０００８】
また、利用者が個人情報を取得したい場合に、該利用者がパスワードを投入すると、個人情報を該利用者に提示するとともに、自己の個人情報が提示された個人に、該利用者に関する情報を通知する。
【０００９】
さらにまた、管理情報はアクセス回数と情報提示期間の制限条件を有し、制限条件が満たされない場合、データベースに格納されている個人情報へのアクセスを自動的に不可とする。
【００１０】
本発明は、履歴書等の個人情報、およびこの個人情報を管理するための管理情報等を、秘密キーを用いて顔写真等の原画像情報中に埋め込み透かし画像情報を形成し、この透かし画像情報を相手側に送信する。相手側は、送信側より別途送られてくる秘密キーを用いて、送信側と同様の装置を用いて、透かし画像中に含まれている情報を取り出せるようにする。受信側は、秘密キーが無ければ、透かし画像情報中の埋め込み情報を参照できないようにする。
【００１１】
送信者側で、秘密キーを用いて、原画像中に、必要な個人情報を埋め込んだ透かし画像情報を作成して送信するとともに、秘密キーを別途送信することにより、送信相手に確実に、個人情報を渡すことができる。
【００１２】
次に、本発明の実施の形態を説明する前に、本発明で用いるディジタル透かし技術の概略を説明する。
【００１３】
図１（ａ）は、画像情報に別の情報（埋め込み情報）を埋め込む場合の処理のの流れを示した図である。分解処理１では、原画像を１ブロックがｎ画素×ｍ画素の複数ブロックに分解する。動画像の場合には各フレーム毎に分け、それぞれのフレームを複数ブロックに分解する。直交変換処理２では、分解処理１で分解したそれぞれのブロックに離散コサイン変換（ＤＣＴ変換）等の直交変換を施し、ｎ×ｍの周波数成分行列を得る。埋め込み情報の埋め込みに先立ち、直交変換処理で得られた周波数成分行列のどの位置に埋め込み情報を埋め込むかを決定する埋め込み位置を乱数により決定し、さらにその位置の周波数成分の値をどの程度変更するかを示す変更量を決定し、決定した埋め込み位置と変更量を鍵情報として取得しておく。埋め込み情報を埋め込む場合、１つのブロックに対する周波数成分行列に全てを埋め込む必要はなく、複数のブロックの周波数成分行列にまたがって埋め込んでもよい。埋め込む位置として、例えば周波数成分行列の低周波数部分を選択することにより、人間に知覚できないように埋め込むことができる。また、変更量を変えることにより、周波数成分行列のもとの値との差を変えられるため、画質の劣化を制御することができる。埋め込み処理３では、鍵情報の埋め込み位置と変化量に基づいてそれぞれのブロックの周波数成分行列の値を変え、埋め込み情報を埋め込む。逆直交変換処理４では、埋め込み処理３により埋め込み情報が埋め込まれたそれぞれのブロックの周波数成分行列を逆直交変換し、ｎ画素×ｍ画素のブロック画像を得る。再構成処理５では、逆直交変換処理４で得られた各ブロック画像をつなぎ合わせ、埋め込み情報が埋め込まれた透かし画像を得る。
【００１４】
図１（ｂ）は、透かし画像から埋め込み画像を取り出す場合の処理の流れを示した図である。分解処理６では、透かし画像を１ブロックがｎ画素×ｍ画素の複数ブロックに分解する。直交変換処理７では、分解処理６で分解したそれぞれのブロックに対し直交変換を行い、ｎ×ｍの周波数成分行列を得る。取り出し処理８では、埋め込み処理３で用いた鍵情報から埋め込み位置と変更量を得て、それぞれのブロックの周波数成分行列から埋め込み情報を取り出す。
【００１５】
以上の構成により、ディジタル透かし技術は、▲１▼埋め込み時に用いた鍵情報がなければ埋め込み情報の取り出しができないこと、▲２▼鍵情報中の埋め込み情報は乱数により作成するため固定されておらず、埋め込み情報の解読は困難なこと、▲３▼埋め込み位置を工夫することにより、人間が知覚できないように埋め込み情報を埋め込めること、▲４▼変更量を変えることにより画質の劣化の程度を制御すること等が可能となる。
【００１６】
【発明の実施の形態】
次に、本発明の上記透かし技術を用いた個人情報作成装置を、図面を参照して以下に説明する。
【００１７】
図２は、本発明で用いる個人情報の入力画面の一例を示す。同図において、２１は個人の顔写真等の原画像、２２は個人の履歴情報等の個人情報の記載欄、２３はこのデータの利用アクセス回数の設定、および情報開示期限の設定を行うデータ管理情報の入力欄である。
【００１８】
図３は本発明の一実施形態の個人情報作成装置を示す。同図において、３１は図２で示した個人の原画像、３２は図２で示した個人情報の記載欄の個人データ等、３３は図２で示したデータ管理情報、３４は鍵情報、３５は透かし画像生成・復元部、３６は透かし画像確認部、３７は送信部、３８は相手の通信端末である。
【００１９】
以下に、本装置の動作を説明する。
【００２０】
個人情報提供者は、個人の原画像と経歴情報とデータ管理情報を作成する。作成されたこれらの情報は、装置内部の処理により、透かし画像生成・復元部３５に送られる。また、個人情報提供者は、個別に鍵情報３４を透かし画像生成・復元部３５に送信する。
【００２１】
透かし画像生成・復元部３５は、個人の原画像の画像データ３１に、個人情報３２として経歴情報や個人データとデータ管理情報３３を鍵情報３４を用いて埋め込み、透かし画像情報を生成する。透かし画像確認部３６でこの画像を確認する。この透かし画像を送信部３７から、相手の通信端末３８に送信する。通信相手端末３８は、この透かし画像情報を蓄積する。さらに、個人情報提供者は、相手当事者に、鍵情報３４を別途、別の手段で送付する。
【００２２】
相手当事者側にも、個人情報提供者側と同様の装置を有する。
【００２３】
相手当事者は、予め受信蓄積した透かし画像を、透かし画像生成・復元部３５に呼出し、別途、個人情報提供者より送付されてきた鍵情報３４を用いて、透かし画像情報から、この画像に含まれている個人情報３２を復元する。これにより、送信されてきた個人の顔写真とともに、経歴情報、管理情報を知る。
【００２４】
相手当事者が鍵情報３４をもっていなければ、透かし画像情報に含まれている個人データや経歴情報の個人情報３２を入手することはできない。よって、これらデータは、当事者間で安心して送信あるいは閲覧することができる。
【００２５】
以上は、個人と相手との当事者間のみの通信であるが、この他にも種々の通信形態で本個人情報作成装置利用することができる。この例を次に示す。
【００２６】
図４は、個人情報を情報センタに収容する場合の他の一実施例を示す。
同図において、４１は情報センタ、４２は個人の情報提供者の端末、４３は複数の利用者の端末である。
【００２７】
各個人は、図２および図３の場合と同様に、個人の経歴情報、データの管理情報等を原画像情報に、秘密の鍵情報を用いて埋め込み、透かし画像情報を作成する。これを、各端末４３から情報センタ４１に送信する。情報センタ４１は、個人情報提供者４２から別途送信された鍵情報を用いて、送信されてきた透かし画像情報を復元する。この復元された情報を情報内容の利用分野別に収録して、情報センタ４１のデータベースに蓄積する。
【００２８】
一方、利用者側の複数の端末４３は情報センタ４１に接続し、情報の入手を可能なようにしておく。例えば、利用者３が個人の履歴情報等を元に、特定の技能を有する人を探そうとする場合について述べる。
【００２９】
利用者３は、情報センタ４１のデータベースを特定のキーワードで検索し、条件の合致した特定の技能を有する人がいるかいないかを検索する。
【００３０】
図５は、利用者端末４３における検索結果画面の一例を示す。
同図において、５１は検索結果、該当者数を示す表示領域、５２は該当した検索結果を表示するかしないかの質問領域、５３は該当者の顔を表示する領域、５４は次の画面を表示するかいなかの質問領域、５５は個人の情報を参照したいか否かの質問領域、５６は特定データ番号の入力欄および利用者のパスワード入力欄である。
【００３１】
利用者端末４３の動作を説明する。
【００３２】
検索の結果、複数の候補者が該当する場合、まず該当する人数を表示域５１に示す。これを表示したい場合、質問領域５２で回答する。これにより、該当者の顔写真が例えば３名ずつ番号を付加して画面に表示する。これら顔写真を元に、更に詳細な経歴情報を知りたいか否かを質問領域５５で回答する。さらに知りたい該当者がいれば、該当者の表示番号と、利用者自身のパスワードを入力欄５６に入力する。この結果、図２に示す情報提供者が入力した内容と同様な画像を提示する。情報のアクセス回数により、既に何回の情報がアクセスされたかが分かる。
【００３３】
なお、情報センタ４１が、個人の情報提供者２に、どのような利用者３から、何回アクセスがあったかを通知できるようにすることも可能である。これにより、個人の情報提供者２は、自己の情報の利用状況を知ることができる。
【００３４】
さらに、図２および図３で作成した透かし画像情報を各種カード等の写真情報として埋め込むことも可能である。このようにして作成されたカードを相手に送付した場合、カードを万一落としたり、盗まれた際でも、鍵情報が無ければ画像中に埋め込んだ重要なデータを第３者に利用される心配もない。
【００３５】
さらに、画像に埋め込む情報として、経歴情報だけでなく、各種の情報を埋め込み利用できることは明らかである。また、経歴情報を埋め込む原画像として、個人の顔画像だけでなく、動物や風景等の各種画像も利用できることは当然である。
【００３６】
【発明の効果】
以上述べたように、本発明によれば、相手に鍵情報を別の手段で渡すので、履歴書等を、万一落としたり、盗まれた際でも、この鍵情報がなければ、透かし画像情報中に埋め込んだ経歴データを画像から取り出すことができないので、作成者のプライバシーを保護できる利点がある。
【図面の簡単な説明】
【図１】本発明で用いるディジタル透かし技術の原理説明図で、（ａ）は埋め込み時の処理の流れを示し、（ｂ）は取り出し時の処理の流れを示す。
【図２】本発明で用いる個人情報の入力画面の一例を示す。
【図３】本発明の一実施形態の個人情報作成装置を示す。
【図４】個人情報を情報センタに収容する場合の他の一実施例を示す。
【図５】利用者端末における、検索結果画面の一例を示す。
【符号の説明】
１    分解処理
２    直交変換処理
３    埋め込み処理
４    逆直交変換処理
５    再構成処理
６    分解処理
７    直交変換処理
８    取り出し処理
２１    原画像
２２    個人情報の記載欄
２３    データ管理情報の入力欄
３１    画像データ
３２    個人情報
３３    データ管理情報
３４    鍵情報
３５    透かし画像生成・復元部
３６    透かし画像確認部
３７    送信部
３８    通信端末
４１    情報センタ
４２    個人データ提供者
４３    利用者
５１    該当者数を示す表示領域
５２    検索結果の表示するしないの質問領域
５３    該当者の顔写真表示領域
５４    次の画面の表示するしないの質問領域
５５    個人情報の表示するしないの質問領域
５６    特定入力欄
【図１】
0003655423.tif 000002
【図２】
0003655423.tif 000003
【図３】
0003655423.tif 000004
【図４】
0003655423.tif 000005
【図５】
0003655423.tif 000006